(57)【要約】      （修正有）【課題】検出センサー側のケース面と装着者の腕の表面との間の隙間に起因するリスト機器の揺れや傾きを低減し、生体情報の検出を安定させることのできる生体情報検出装置を提供する。【解決手段】生体情報検出装置１０は、ケースと、被検体からの光を受光する受光部が収容され、ケースの被検体側のケース外面よりも突出している検出部と、ケースの被検体側を平面視したとき、検出部を挟むように配置されている第１凸部３５および第２凸部３６と、を含み、平面視で、検出部側からケースの外縁側に亘って、第１凸部と第２凸部とが連接していない、少なくとも一つの領域がある。【選択図】図１Ｂ
2018000542.tif 000002
【特許請求の範囲】
【請求項１】
ケースと、
被検体からの光を受光する受光部が収容され、前記ケースの前記被検体側のケース外面よりも突出している検出部と、
前記ケースの前記被検体側を平面視したとき、前記検出部を挟むように配置されている第１凸部および第２凸部と、
を含み、
前記平面視で、前記検出部側から前記ケースの外縁側に亘って、前記第１凸部と前記第２凸部とが連接していない、少なくとも一つの領域がある、
生体情報検出装置。
【請求項２】
請求項１において、
前記第１凸部および前記第２凸部は、前記検出部側よりも前記ケースの外縁側に寄って配置されている、
生体情報検出装置。
【請求項３】
請求項１または請求項２において、
前記領域の表面は、前記ケース外面と同一面である、
生体情報検出装置。
【請求項４】
請求項１ないし請求項３のいずれか一項において、
前記平面視で、前記ケースを挟むように配置されている一対のバンド部を含み、
前記平面視で、前記第１凸部および前記第２凸部は、前記一対のバンド部が並ぶ方向と交差する方向に沿って配置されている、
生体情報検出装置。
【請求項５】
請求項１ないし請求項４のいずれか一項において、
前記検出部と前記第１凸部との間の領域、および前記検出部と前記第２凸部との間の領域に、外部接続端子が配置されている、
生体情報検出装置。
【請求項６】
請求項１ないし請求項４のいずれか一項において、
前記平面視で、前記第１凸部および前記第２凸部を境にして、前記検出部側とは反対側の領域に、外部接続端子がある、
生体情報検出装置。
【請求項７】
請求項１ないし請求項４のいずれか一項において、
前記領域の表面に外部接続端子がある、
生体情報検出装置。
【請求項８】
請求項１ないし請求項４のいずれか一項において、
前記第１凸部および前記第２凸部の少なくとも一つに外部接続端子がある、
生体情報検出装置。
【請求項９】
請求項１ないし請求項８のいずれか一項において、
前記第１凸部および前記第２凸部は、前記ケースに対して着脱可能である、
生体情報検出装置。
【請求項１０】
請求項１ないし請求項８のいずれか一項において、
前記第１凸部および前記第２凸部は、前記ケースに対して移動可能に配置されている、
生体情報検出装置。
【請求項１１】
請求項１０において、
前記第１凸部および前記第２凸部は、前記ケースに対して回転移動が可能に接続されている、
生体情報検出装置。
【請求項１２】
請求項１０または請求項１１において、
前記ケースは、前記第１凸部および前記第２凸部を収納する収納部を含む、
生体情報検出装置。
【請求項１３】
請求項１ないし請求項１２のいずれか一項において、
前記第１凸部および前記第２凸部の前記被検体に接触する部分の断面が曲線状である、
生体情報検出装置。
【請求項１４】
請求項１ないし請求項１３のいずれか一項において、
前記平面視で、前記第１凸部および前記第２凸部は、前記検出部を囲むように周状に配置されている、
生体情報検出装置。
【発明の詳細な説明】
【技術分野】
【０００１】
本発明は、生体情報検出装置に関する。
【背景技術】
【０００２】
従来、生体情報検出装置として、例えばバンド等によって手首等の部位（被検体）に装着され、装着者の脈波等の生体情報を測定する測定モジュールや、当該生体情報の測定機能を有する腕時計状のリスト機器が知られている。例えば特許文献１には、被検体として、装着者（ユーザー）の腕（手首）に装着し、光学式検出センサーを用いて脈波や脈拍などの生体情報を計測するリスト機器が開示されている。
【０００３】
このような光学式検出センサーを用いたリスト機器（生体情報検出装置）では、測定対象物である皮膚表面の血流を光学的に測定し、信号化することによって脈波や脈拍などの生体情報を得ており、光学式検出センサーが受光する光に含まれるノイズ成分を減少させることが、測定精度を高めるために重要である。
【先行技術文献】
【特許文献】
【０００４】
【特許文献１】米国特許出願公開第２０１４／０１０７４９３号明細書
【発明の概要】
【発明が解決しようとする課題】
【０００５】
しかしながら、特許文献１に記載されているリスト機器では、光学式検出センサーをユーザーである装着者の腕に密接させるため、光学式検出センサーをケースから突出させた構成となっている。このように、光学式検出センサーがケースから突出していると、光学式検出センサーは腕の表面に密接するものの、光学式検出センサー以外の領域において、光学式検出センサー側のケース面と装着者（ユーザー）の腕の表面との間に隙間が生じてしまい、この隙間に起因して、リスト機器は揺れや傾きを生じ易くなる。リスト機器に揺れや傾きが生じると、装着者の腕と光学式検出センサーとの密接を維持できなくなることにより、外乱光などに起因して光に含まれるノイズ成分が増加してしまい、脈波や脈拍などの生体情報の検出が不安定になってしまう虞があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る生体情報検出装置は、ケースと、被検体からの光を受光する受光部が収容され、前記ケースの前記被検体側のケース外面よりも突出している検出部と、前記ケースの前記被検体側を平面視したとき、前記検出部を挟むように配置されている第１凸部および第２凸部と、を含み、前記平面視で、前記検出部側から前記ケースの外縁側に亘って、前記第１凸部と前記第２凸部とが連接していない、少なくとも一つの領域がある。
【０００８】
本適用例によれば、ケース（生体情報検出装置）がユーザーの装着部に装着されたとき、検出部に加えて、第１凸部および第２凸部がユーザーの装着部に当たるため、検出部を支点としたケースの傾きを低減することができる。これにより、生体情報検出装置の装着（固定）姿勢が安定するため、ユーザーの装着部と検出部との密着を維持することができ、例えば脈波や脈拍などの生体情報の検出を安定させることができる。
【０００９】
［適用例２］上記適用例に記載の生体情報検出装置において、前記第１凸部および前記第２凸部は、前記検出部側よりも前記ケースの外縁側に寄って配置されていることが好ましい。
【００１０】
本適用例によれば、第１凸部および第２凸部がケースの外縁側に寄って配置されているので、生体情報検出装置がユーザーの装着部に装着されたとき、ケースがより傾き難くなり安定し易くなる。
【００１１】
［適用例３］上記適用例に記載の生体情報検出装置において、前記領域の表面は、前記ケース外面と同一面であることが好ましい。
【００１２】
本適用例によれば、ケース外面を有効活用して第１凸部および第２凸部を設けることが可能となる。
【００１３】
［適用例４］上記適用例に記載の生体情報検出装置において、前記平面視で、前記ケースを挟むように配置されている一対のバンド部を含み、前記平面視で、前記第１凸部および前記第２凸部は、前記一対のバンド部が並ぶ方向と交差する方向に沿って配置されていることが好ましい。
【００１４】
本適用例によれば、一対のバンド部の並ぶ方向に対し、比較的ケースの動きを生じ易い方向であるバンド部の並ぶ方向と交差する方向においての、ケースの傾きなどの動きを低減させることができる。
【００１５】
［適用例５］上記適用例に記載の生体情報検出装置において、前記検出部と前記第１凸部との間の領域、および前記検出部と前記第２凸部との間の領域に、外部接続端子が配置されていることが好ましい。
【００１６】
本適用例によれば、第１凸部および第２凸部によって囲まれた領域に外部接続端子が配置されるため、外部接続端子に対して外部から直接的な接触が起こり難くなり、この接触による外部接続端子の損傷などの発生を低減することができる。
【００１７】
［適用例６］上記適用例に記載の生体情報検出装置において、前記平面視で、前記第１凸部および前記第２凸部を境にして、前記検出部側とは反対側の領域に、外部接続端子があることが好ましい。
【００１８】
本適用例によれば、外部接続端子が第１凸部および第２凸部よりも外側に位置するため、外部接続端子に対する接続を行い易い。
【００１９】
［適用例７］上記適用例に記載の生体情報検出装置において、前記領域の表面に外部接続端子があることが好ましい。
【００２０】
本適用例によれば、両側に第１凸部および第２凸部が位置する領域の表面に外部接続端子が配置されるため、外部接続端子に対して外部から直接的な接触が起こり難くなり、この接触による外部接続端子の損傷などの発生を低減することができる。
【００２１】
［適用例８］上記適用例に記載の生体情報検出装置において、前記第１凸部および前記第２凸部の少なくとも一つに外部接続端子があることが好ましい。
【００２２】
本適用例によれば、外部接続端子に対する外部からの損傷の発生を低減することができるとともに、接続を行い易い。
【００２３】
［適用例９］上記適用例に記載の生体情報検出装置において、前記第１凸部および前記第２凸部は、前記ケースに対して着脱可能であることが好ましい。
【００２４】
本適用例によれば、第１凸部および第２凸部を必要とする場合にのみ、第１凸部および第２凸部を用いることができ、デザイン性を高めることができる。
【００２５】
［適用例１０］上記適用例に記載の生体情報検出装置において、前記第１凸部および前記第２凸部は、前記ケースに対して移動可能に配置されていることが好ましい。
【００２６】
本適用例によれば、必要に応じて第１凸部および第２凸部を移動させ、ケースの一面と装着部との間の隙間に配置することができる。このように、第１凸部および第２凸部を容易に装着することができる。
【００２７】
［適用例１１］上記適用例に記載の生体情報検出装置において、前記第１凸部および前記第２凸部は、前記ケースに対して回転移動が可能に接続されていることが好ましい。
【００２８】
本適用例によれば、検出部の外側の位置に、第１凸部および第２凸部を回動させることにより、容易に配置することができる。なお、上述の回転移動とは、ケースに固定された回転軸を中心にして、第１凸部および第２凸部が回転して位置を移動させることをいう。
【００２９】
［適用例１２］上記適用例に記載の生体情報検出装置において、前記ケースは、前記第１凸部および前記第２凸部を収納する収納部を含むことが好ましい。
【００３０】
本適用例によれば、第１凸部および第２凸部をケース（収納部）に収納することで、第１凸部および第２凸部の不要な場合の突出などを防ぐことができ、デザイン性を高めることができる。
【００３１】
［適用例１３］上記適用例に記載の生体情報検出装置において、前記第１凸部および前記第２凸部の前記被検体に接触する部分の断面が曲線状であることが好ましい。
【００３２】
本適用例によれば、第１凸部および第２凸部の被検体に接触する部分の断面が曲線状（湾曲状）であることから、ユーザーの装着違和感を減少させた状態、且つ安定した接触状態で、検出部を被検体に押圧することができる。
【００３３】
［適用例１４］上記適用例に記載の生体情報検出装置において、前記平面視で、前記第１凸部および前記第２凸部は、前記検出部を囲むように周状に配置されていることが好ましい。
【００３４】
本適用例によれば、第１凸部および第２凸部の配置に係るデザイン性を向上させることができる。また、ユーザーの装着部に装着されたケースの傾きなどを効果的に低減することができる。
【図面の簡単な説明】
【００３５】
【図１Ａ】第１実施形態に係る生体情報検出装置の構成例を示す上面（表面）斜視図。
【図１Ｂ】第１実施形態に係る生体情報検出装置の下面（裏面）斜視図。
【図２Ａ】従来の生体情報検出装置の構成例を示す側面図。
【図２Ｂ】従来の生体情報検出装置の問題点の説明図。
【図３】第１実施形態に係る生体情報検出装置の構成例を示し、ケースを裏面側から見た平面図。
【図４Ａ】ケースをバンド部の延設方向（接続される方向）から見た図４Ａの側面図。
【図４Ｂ】ケースをバンド部の延設方向（接続される方向）から見た図４Ａの断面図。
【図４Ｃ】第１凸部（第２凸部）の被検体に接触する部分の湾曲形状を示す断面図。
【図５】第１凸部（第２凸部）の他の配置例１を示し、ケースを裏面側から見た平面図。
【図６】第１凸部（第２凸部）の他の配置例２を示し、ケースを裏面側から見た平面図。
【図７】第１凸部（第２凸部）の他の配置例３を示し、ケースを裏面側から見た平面図。
【図８】第１凸部（第２凸部）の他の配置例４を示し、ケースを裏面側から見た平面図。
【図９】外部接続端子の他の配置例１を示し、ケースを裏面側から見た平面図。
【図１０】外部接続端子の他の配置例２を示し、ケースを裏面側から見た平面図。
【図１１】外部接続端子の他の配置例３を示し、ケースを裏面側から見た平面図。
【図１２】図４Ａと同方向から見た第１凸部（第２凸部）の他の構成例を示す側面図。
【図１３Ａ】第２実施形態に係る生体情報検出装置の構成例を示し、ケースを裏面側から見た平面図。
【図１３Ｂ】ケースをバンド部の延設方向（接続される方向）から見た側面図。
【図１４】第３実施形態に係る生体情報検出装置の構成例を示し、ケースをバンド部の延設方向（接続される方向）から見た側面図。
【図１５Ａ】第４実施形態に係る生体情報検出装置の構成例を示し、ケースをバンド部の延設方向（接続される方向）から見た側面図。
【図１５Ｂ】第４実施形態における第１凸部（第２凸部）を示す斜視図。
【図１６】変形例に係る生体情報検出装置の下面（裏面）斜視図。
【発明を実施するための形態】
【００３６】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００３７】
＜第１実施形態＞
図１Ａ、図１Ｂ、図３、図４Ａ、図４Ｂおよび図４Ｃを用いて、本発明の第１実施形態に係る生体情報検出装置の構成例について説明する。図１Ａは、本発明の生体情報検出装置の上面（表面）側からの斜視図であり、図１Ｂは、本発明の第１実施形態に係る生体情報検出装置の下面（裏面）側からの斜視図である。図３、図４Ａ、図４Ｂおよび図４Ｃは、第１実施形態に係る生体情報検出装置の構成例を示し、図３はケースを裏面側から見た平面図、図４Ａはケースをバンド部の延設方向（接続される方向）から見た図４Ａの側面図、図４Ｂはケースをバンド部の延設方向（接続される方向）から見た図４Ａの断面図、図４Ｃは第１凸部（第２凸部）の被検体に接触する部分の湾曲形状を示す断面図である。なお、本明細書においては、生体情報検出装置の表示面側をトップ側または表側、表示面とは反対側（装着時に被検体に接する側）をボトム側または裏側として説明する。また、図１Ａ、図１Ｂ、図３、図４Ａ、図４Ｂおよび図４Ｃでは、説明の便宜上、それぞれ直交する３軸をＸ軸、Ｙ軸、Ｚ軸を使用して説明し、後述するガラス板７１の面に垂直な軸をＺ軸、ケースを挟むように配置されている一対のバンド部（第１のバンド部３１および第２のバンド部３２）が並ぶ方向をＹ軸としている。また、以下において「軸方向」とは、「軸に沿う方向」を意味する。
【００３８】
図１Ａおよび図１Ｂに示すように、第１実施形態に係る生体情報検出装置１０は、図４Ａに示すように被検体（被装着体）ＳＫに装着され、被検体（被装着体）ＳＫの生体情報を検出する光センサーを含むセンサー部９０が設けられるケースとしてのボトムケース（蓋部）３３と、ユーザーへの装着側と反対側に位置するトップケース３０とが配置されている。また、ボトムケース３３とトップケース３０とを含むケース部のＹ方向に沿った両側には、それぞれバンド部（第１のバンド部３１および第２のバンド部３２）が接続されている。
【００３９】
生体情報検出装置１０の構成をより詳細に説明すると、生体情報検出装置１０は、第１のバンド部３１と、第２のバンド部３２と、ボトムケース（蓋部）３３およびトップケース３０を含むケース部と、固定部（遊革、定革）４０と、連結部（美錠）５０と、表示部７０と、操作部８０と、光センサー部としてのセンサー部９０と、を含む。但し、生体情報検出装置１０は、図１Ａおよび図１Ｂの構成に限定されず、これらの一部の構成要素を省略したり、他の構成要素を追加したりするなどの種々の変形実施が可能である。
【００４０】
ケース部を構成するボトムケース３３およびトップケース３０は、例えばステンレススチールなどの金属、もしくは樹脂などによって形成することができる。なお、トップケース３０とボトムケース３３とに分離される態様のものでなくてもよく、一体構造のケース（トップケース３０に相当する）と、該ケースのユーザーへの装着側に、裏蓋（ボトムケース３３に相当する）が設けられている構成でもよい。
【００４１】
図４Ａおよび図４Ｂに示すように、生体情報検出装置１０の被検体（被装着体）ＳＫに装着される側と反対側であるトップ側（トップケース３０）には、ベゼル７２が設けられるとともに、このベゼル７２の内側に配置されて内部構造を保護する天板部分（外壁）としてのガラス板７１が設けられている。生体情報検出装置１０は、ガラス板７１を介して、ガラス板７１の直下に設けられる文字板（不図示）を含む表示部７０を備えている。ユーザーは、表示部７０の表示を閲覧することができる。つまり本実施形態の生体情報検出装置１０では、検出された生体情報を表示部７０に表示し、当該表示を生体情報検出装置１０のトップ側からユーザーに提示するものであってもよい。
【００４２】
なお、ここでは生体情報検出装置１０の天板部分をガラス板７１により実現する例を示したが、表示部７０を閲覧可能な透明部材であり、表示部７０などのトップケース３０とボトムケース３３の内部（内部空間３９）に含まれる構成を保護可能な程度の強度を有する部材であれば、透明のプラスチックなど、ガラス以外の材料により天板部分を構成することが可能である。また、ベゼル７２が設けられた構成例を示したが、ベゼル７２の設けられていない構成であってもよい。
【００４３】
被検体ＳＫ側に位置するボトムケース（蓋部）３３のケース外面には、被検体（被装着体）ＳＫの生体情報を検出する光センサーを含むセンサー部９０が収容された検出部９２と、検出部９２の外縁よりも外側（ボトムケース３３の外縁の位置する側）に配置されている裏面３３ｒとが配設されている。
【００４４】
また、図１Ａおよび図１Ｂに示すように、生体情報検出装置１０の側面には、例えばセンサー部９０による検出モードを切り替えたり、表示部７０に表示される表示モードを切り替えたりすることが可能な複数のボタンを含む操作部８０が設けられている。表示部７０は、各種情報を表示する。操作部８０は、ユーザーによる操作を受け付ける。
【００４５】
また、図４Ａおよび図４Ｂに示す、ボトムケース３３、トップケース３０、およびガラス板７１などで形成される内部空間３９には、文字板（不図示）を含む表示部７０やセンサー部９０によって検出されたデータを処理したり表示部７０の表示内容を制御したりする制御部（不図示）や電池（不図示）などが収容されている。なお、図４Ａおよび図４Ｂでは、内部空間３９の内の構成は図示を省略している。
【００４６】
第１のバンド部３１は、トップケース３０の一端（図３に示す第１のバンド取付部４１）に取り付けられ、第２のバンド部３２は、トップケース３０の他端（図３に示す第２のバンド取付部４２）に取り付けられる。
【００４７】
そして、連結部（美錠）５０は、第１のバンド部３１および第２のバンド部３２を連結する。固定部（遊革、定革）４０は、第１のバンド部３１および第２のバンド部３２が連結された状態で、第１のバンド部３１を第２のバンド部３２に沿って固定する。
【００４８】
センサー部９０は、被検体ＳＫ側に位置するボトムケース（蓋部）３３のケース外面である裏面３３ｒから凸状に突出するように設けられている検出部９２に収容されている。換言すれば、センサー部９０は、裏面３３ｒよりも被検体ＳＫ側（Ｚ軸方向）に突出している。検出部９２は、図３および図４Ｂに示すように、裏面３３ｒから傾斜面９３を介して延設された頂部であり、その中央部に光センサーを含むセンサー部９０が収容されている。センサー部９０は、検出部９２とともに被検体ＳＫに押し当てられた状態で、被検体ＳＫの生体情報を検出する。
【００４９】
光センサー部としてセンサー部９０には、図示しないが、発光部および受光部が設けられている。発光部は被検体ＳＫに対して光を射出する。受光部は、被検体ＳＫからの光（反射光、透過光）を受光する。例えば発光部が光を被検体ＳＫに射出し、その光が被検体ＳＫ（血管）により反射されると、受光部がその反射光を受光して生体情報を検出することができる。受光部は、例えばフォトダイオードなどの受光素子により実現でき、発光部は、例えばＬＥＤなどの発光素子により実現できる。
【００５０】
脈拍計を例にとると、発光部からの光は、被検体ＳＫの内部を進み、表皮、真皮及び皮下組織等で拡散又は散乱する。その後、この光は、血管（被検出部位）に到達し、反射される。この際に、光の一部は血管により吸収される。そして、脈拍の影響により血管での光の吸収率が変化し、反射光の光量も変化するため、受光部がこの反射光を受光して、その光量の変化を検出することで、生体情報である脈拍数等を検出できるようになる。
【００５１】
また、図３、図４Ａおよび図４Ｂに示すように、ボトムケース３３の裏面３３ｒを平面視したとき、即ちボトムケース３３の裏面３３ｒをＺ軸方向から見たとき、裏面３３ｒには、Ｘ軸方向において検出部９２を挟む位置に配置されている第１凸部３５および第２凸部３６が一対で設けられている。換言すれば、第１凸部３５および第２凸部３６は、第１のバンド部３１および第２のバンド部３２の並んでいる方向（Ｙ軸方向）と交差する方向、本実施形態ではＸ軸方向に沿って検出部９２を挟む位置に配置されている。そして、第１凸部３５および第２凸部３６は、検出部９２の周囲を囲む周状の一部としてボトムケース３３の裏面３３ｒから、検出部９２の突出方向と同方向（Ｚ軸方向）に突出している。第１凸部３５および第２凸部３６の裏面３３ｒからの高さは、検出部９２の裏面３３ｒからの高さと概ね同じであればよいが、同じであればさらに好ましい。また、第１凸部３５および第２凸部３６は、ボトムケース３３の外縁の少なくとも一部に沿って円弧状に延設されている。
【００５２】
第１凸部３５は、延設方向の一方に一方端５１を有し、反対側の他方に他方端３７を有している。また、第２凸部３６は、延設方向の一方に一方端５２を有し、反対側の他方に他方端３８を有している。そして、第１凸部３５と第２凸部３６との延設方向には、検出部９２側からボトムケース３３の外縁に亘って切り欠かれた（第１凸部３５と第２凸部３６とが連接していない領域）、少なくとも一つの溝部（本実施形態では、第１の溝部Ｇｒ１および第２の溝部Ｇｒ２の二つ）が配置されている。
【００５３】
具体的には、互いの延設方向に位置する第１凸部３５の一方端５１と、第２凸部３６の一方端５２との間には、検出部９２側からボトムケース３３の外縁側に亘って、切り欠かれた第１の溝部Ｇｒ１が配置されている。換言すれば、第１の溝部Ｇｒ１によって、検出部９２側からボトムケース３３の外縁側に亘って、第１凸部３５と第２凸部３６とが互いに連接されていない。また、互いの延設方向に位置する第１凸部３５の他方端３７と、第２凸部３６の他方端３８との間には、検出部９２側からボトムケース３３の外縁側に亘って、切り欠かれた第２の溝部Ｇｒ２が配置されている。換言すれば、第２の溝部Ｇｒ２によって、検出部９２側からボトムケース３３の外縁側に亘って、第１凸部３５と第２凸部３６とが互いに連接されていない。なお、本実施形態において、第１の溝部Ｇｒ１および第２の溝部Ｇｒ２は、Ｙ軸方向に沿った反対側の位置、換言すれば、Ｙ軸方向において検出部９２を挟む位置に配置されている。
【００５４】
このように、第１凸部３５および第２凸部３６は、検出部９２側からボトムケース３３の外縁側に亘って、切り欠かれた少なくとも一つの溝部（本実施形態では、第１の溝部Ｇｒ１および第２の溝部Ｇｒ２の二つ）によって分断された少なくとも一対で配置される。これにより、ユーザーの装着部（被検体ＳＫ）に生体情報検出装置１０が装着されたとき、検出部９２を挟んだ両側の方向に対してのケース部（ボトムケース３３およびトップケース３０）の傾きを低減することができる。
【００５５】
また、第１凸部３５および第２凸部３６は、Ｚ軸方向からの平面視で、検出部９２の周囲を囲む周状の一部として配置されていることが好ましい。このような第１凸部３５および第２凸部３６の配置により、第１凸部３５および第２凸部３６の配置に係るデザイン性を向上させることができる。また、ユーザーの装着部（被検体ＳＫ）に装着された生体情報検出装置１０の傾きなどの発生を効果的に低減することができる。
【００５６】
なお、第１の溝部Ｇｒ１および第２の溝部Ｇｒ２は、ボトムケース３３の裏面３３ｒ（ケース外面）まで切り欠かれている。即ち、第１の溝部Ｇｒ１および第２の溝部Ｇｒ２のそれぞれの底面は、ボトムケース３３の裏面３３ｒ（ケース外面）と同一であり、第１の溝部Ｇｒ１および第２の溝部Ｇｒ２内では、裏面３３ｒから延伸された面が露出している。このようすれば、ケース外面（ボトムケース３３の裏面３３ｒ）を有効活用して第１凸部３５および第２凸部３６を設けることが可能となる。
【００５７】
また、図４Ｃに示すように、第１凸部３５および第２凸部３６は、被検体ＳＫに接触する部分である接触面４７の断面が、生体情報検出装置１０の装着される、例えばユーザーの腕など被検体ＳＫの外面形状に倣った湾曲状（曲線状）に形成されていることが好ましい。このように、被検体ＳＫとの接触面４７を湾曲状とすることにより、ユーザーの装着違和感を減少させた状態で、且つ安定した接触状態で、検出部９２を被検体ＳＫに押圧することができる。
【００５８】
また、第１凸部３５および第２凸部３６は、ボトムケース３３と一体的に設けられたり、ボトムケース３３と別体で成形された物をボトムケース３３の裏面３３ｒに接着などによって取り付けられてもよい。
【００５９】
また、第１凸部３５および第２凸部３６は、例えばウレタン樹脂、シリコーン樹脂、エラストマー樹脂、フッ素樹脂、ポリスチレン樹脂、ポリエチレン樹脂などの軟質材料によって形成されることが好ましい。または、第１凸部３５および第２凸部３６の被検体ＳＫとの接触面４７を含む先端部分に前述の軟質材料を配置することが好ましい。このように、第１凸部３５および第２凸部３６に軟質材料を用いることにより、ユーザーの装着違和感を低減させることができる。
【００６０】
また、図３に示すように、ボトムケース（蓋部）３３の裏面３３ｒを平面視したとき、即ちボトムケース３３の裏面３３ｒをＺ軸方向から見たとき、Ｘ軸方向において検出部９２と第１凸部３５との間の領域、および検出部９２と第２凸部３６との間の領域には、一対の外部接続端子（第１の外部接続端子４５および第２の外部接続端子４６）が配置されている。第１の外部接続端子４５および第２の外部接続端子４６は、外部機器との間の信号伝達や電源供給用の端子を接続するための接続端子である。このように外周を第１凸部３５および第２凸部３６によって囲まれた領域に第１の外部接続端子４５および第２の外部接続端子４６が配置されることにより、第１の外部接続端子４５および第２の外部接続端子４６に対する外部からの損傷などの発生を低減することができる。
【００６１】
一方、図２Ａおよび図２Ｂには、前述した従来の生体情報検出装置１０ａｒが例示されている。なお、図２Ａは、従来の生体情報検出装置の構成例を示す側面図であり、図２Ｂは、従来の生体情報検出装置の問題点を説明するための説明図である。図２Ａおよび図２Ｂに示す生体情報検出装置ａｒは、図１Ａおよび図１Ｂに示す生体情報検出装置１０とは異なり、ボトムケース３３の裏面３３ｒの第１凸部３５および第２凸部３６を有していない。
【００６２】
ボトムケース３３の裏面３３ｒの第１凸部３５および第２凸部３６の配置されていない従来の生体情報検出装置１０ａｒでは、ボトムケース３３ａの裏面３３ａｒと腕の表面（被検体ＳＫ）との間に、隙間Ｑが生じている。図２Ａおよび図２Ｂに示すような生体情報検出装置１０ａでは、激しい腕の振り等によってトップケース３０ａおよびボトムケース３３ａなどによって構成される機器本体に大きな重力加速度が掛かることがある。このような重力加速度がＺ軸方向に掛かった場合、ボトムケース３３ａの裏面３３ａｒと腕の表面（被検体ＳＫ）との間に隙間Ｑが有ることにより、トップケース３０ａ、ボトムケース３３ａなどで構成される機器本体が、図２Ｂに示す矢印のように腕の動きに合わせて揺れたり、捻れたり、あるいは傾いたりしてしまう。なお、このように、揺れたり、捻れたり、あるいは傾いたりしてしまう現象は、バンド部３１ａ，３２ａで固定されていない方向（Ｘ軸方向）において顕著に生じる。
【００６３】
このように、トップケース３０ａ、ボトムケース３３ａなどで構成される機器本体が揺れたり、捻れたり、あるいは傾いたりしてしまうと、検出部９２およびセンサー部９０が被検体ＳＫから浮き上がってしまう部分が生じてしまう。そのため、センサー部９０が正常にセンサー信号を取得することができず、例えば脈波や脈拍などの生体情報の検出が不安定になってしまうといった問題を生じてしまう。
【００６４】
そこで、本実施形態では、図１Ａ、図１Ｂ、図３、図４Ａ、および図４Ｂに示すように、ボトムケース３３の裏面３３ｒをＺ軸方向から平面視したとき、Ｘ軸方向において検出部９２を挟む位置に、第１凸部３５および第２凸部３６を一対で配置している。これにより、トップケース３０ａ、ボトムケース３３ａなどで構成される機器本体（生体情報検出装置１０）が、ユーザーの装着部（被検体ＳＫ）に装着されたとき、検出部９２に加えて、第１凸部３５および第２凸部３６が被検体ＳＫに当たるため、検出部９２を支点としたケース部の傾きを抑制することができる。換言すれば、装着者が激しい運動などを行って被検体ＳＫが動く場合でも、センサー部９０（検出部９２）を所与の圧力で被検体ＳＫに押し付けた状態を維持することが可能となる。このように、生体情報検出装置１０の装着（固定）姿勢が安定するため、例えば脈波や脈拍などの生体情報に係るセンサー信号の誤検出を防ぐことができ、生体情報の検出を安定させることができる。
【００６５】
また、第１凸部３５および第２凸部３６が、第１のバンド部３１および第２のバンド部３２の接続される方向（Ｙ軸方向）と交差する方向、本実施形態ではＸ軸方向に沿って検出部９２を挟む位置に配置されている。生体情報検出装置１０は、第１のバンド部３１および第２のバンド部３２によって、ボトムケース３３およびトップケース３０が被検体に取り付けられるため、その接続される方向（Ｙ軸方向）は、揺れや傾きが生じ難く姿勢が安定しやすいが、Ｘ軸方向は比較的揺れや傾きが生じ易い。したがって、Ｘ軸方向に沿って第１凸部３５および第２凸部３６が配置されていることにより、生体情報検出装置１０の揺れや傾きなどの発生を低減でき、生体情報の検出を安定させることができる。
【００６６】
また、第１凸部３５および第２凸部３６との間に設けられている溝部（第１の溝部Ｇｒ１および第２の溝部Ｇｒ２）により、検出部９２の位置する領域が密閉空間とならず第１凸部３５および第２凸部３６の外側の領域と連通されるため、例えば汗などによる湿気（水分）が、検出部９２の位置する領域に留まってしまうことを低減することができる。これにより、湿気（水分）により、検出が不安定になることを低減することができ、センサー部９０による生体情報の検出を安定させることができる。
【００６７】
また、第１凸部３５および第２凸部３６がセンサー部９０の外周を囲うように配置されていることから遮光壁として機能し、センサー部９０に入射する散乱光などの外光を遮蔽したり、抑制したりすることが可能となる。
【００６８】
（第１凸部および第２凸部の他の配置例）
上述した第１実施形態に係る生体情報検出装置１０の第１凸部３５および第２凸部３６は、種々の配置とすることができる。以下、図５〜図８を用いて、上述した第１実施形態に係る生体情報検出装置１０の第１凸部３５および第２凸部３６の他の配置例について説明する。図５、図６、図７および図８は、第１凸部（第２凸部）の他の配置例を示すボトムケースを裏面側から見た平面図であり、図５は第１凸部（第２凸部）の他の配置例１、図６は第１凸部（第２凸部）の他の配置例２、図７は第１凸部（第２凸部）の他の配置例３、図８は第１凸部（第２凸部）の他の配置例４、を示す図である。なお、以下の説明では、前述の第１実施形態に係る生体情報検出装置１０と同様な構成部位は、同符号を付すとともに、その説明を省略することが有る。
【００６９】
先ず、図５を参照して他の配置例１について説明する。図５に示すように、生体情報検出装置１０ａは、他の配置例１に係る第１凸部３５ａ、第２凸部３６ａ、および第３凸部５３を備えている。第１凸部３５ａおよび第２凸部３６ａは、第１実施形態と同様に、検出部９２の周囲を囲むようにボトムケース（蓋部）３３の裏面３３ｒから、検出部９２の突出方向と同方向に突出し、Ｘ軸方向において検出部９２を挟む位置に配置されている。
【００７０】
第１凸部３５ａおよび第２凸部３６ａは、それぞれ一方端５１ａ，５２ａを有し、一方端５１ａ，５２ａの反対側を連接された一体構造となっている。第３凸部５３は、第１凸部３５ａの一方端５１ａと、第２凸部３６ａの一方端５２ａとの間に配置され、第１凸部３５ａ側に配置された一方端５４ａと、第２凸部３６ａ側に配置された他方端５４ｂとを有している。そして、第１凸部３５ａの一方端５１ａと第３凸部５３の一方端５４ａとの間には、検出部９２側からボトムケース３３の外縁に亘って切り欠かれた第３の溝部Ｇｒ３が配置されている。また、第２凸部３６ａの一方端５２ａと第３凸部５３の他方端５４ｂとの間には、検出部９２側からボトムケース３３の外縁に亘って切り欠かれた第４の溝部Ｇｒ４が配置されている。このように、第１凸部３５ａおよび第２凸部３６ａは、二つの溝部（第３の溝部Ｇｒ３および第４の溝部Ｇｒ４）によって分断されている。
【００７１】
次に、図６を参照して他の配置例２について説明する。図６に示すように、生体情報検出装置１０ｂは、他の配置例２に係る第１凸部３５ｂ、第２凸部３６ｂ、第３凸部５３、および第４凸部５５を備えている。第１凸部３５ｂおよび第２凸部３６ｂは、第１実施形態と同様に、検出部９２の周囲を囲むようにボトムケース３３の裏面３３ｒから、検出部９２の突出方向と同方向に突出し、Ｘ軸方向において検出部９２を挟む位置に配置されている。
【００７２】
第１凸部３５ｂは、一方端５１ｂおよび反対側の他方端３７ｂを有している。また、第１凸部３５ｂに対して、検出部９２を介して反対側に位置する第２凸部３６ｂは、一方端５２ｂおよび反対側の端部である他方端３８ｂを有している。
【００７３】
第３凸部５３は、上述した他の配置例１と同様に、第１凸部３５ｂの一方端５１ｂと、第２凸部３６ｂの一方端５２ｂとの間に配置され、第１凸部３５ｂ側に配置された一方端５４ａと、第２凸部３６ｂ側に配置された他方端５４ｂとを有している。そして、第１凸部３５ｂの一方端５１ｂと第３凸部５３の一方端５４ａとの間には、検出部９２側からボトムケース３３の外縁に亘って切り欠かれた第３の溝部Ｇｒ３が配置されている。また、第２凸部３６ｂの一方端５２ｂと第３凸部５３の他方端５４ｂとの間には、検出部９２側からボトムケース３３の外縁に亘って切り欠かれた第４の溝部Ｇｒ４が配置されている。
【００７４】
第４凸部５５は、第３凸部５３に対して、検出部９２を介して反対側に位置している。第４凸部５５は、第１凸部３５ｂの他方端３７ｂと、第２凸部３６ｂの他方端３８ｂとの間に配置され、第１凸部３５ｂ側に配置された一方端５６ａと、第２凸部３６ｂ側に配置された他方端５６ｂとを有している。そして、第１凸部３５ｂの他方端３７ｂと第４凸部５５の一方端５６ａとの間には、検出部９２側からボトムケース３３の外縁に亘って切り欠かれた第５の溝部Ｇｒ５が配置されている。また、第２凸部３６ｂの他方端３８ｂと第４凸部５５の他方端５６ｂとの間には、検出部９２側からボトムケース３３の外縁に亘って切り欠かれた第６の溝部Ｇｒ６が配置されている。
【００７５】
次に、図７を参照して他の配置例３について説明する。図７に示すように、生体情報検出装置１０ｃは、第１凸部３５ｃ、および第２凸部３６ｃを備えている。第１凸部３５ｃおよび第２凸部３６ｃは、第１実施形態と同様に、検出部９２の周囲を囲むようにボトムケース（蓋部）３３の裏面３３ｒから、検出部９２の突出する方向と同方向（Ｚ軸方向）に突出し、Ｘ軸方向において検出部９２を挟む位置に配置されている。また、第１凸部３５ｃおよび第２凸部３６ｃは、ボトムケース３３の外縁の少なくとも一部に沿って円弧上に延設されている。
【００７６】
第１凸部３５ｃは、延設方向の一方に端部５１ｃを有している。また、第２凸部３６ｃは、延設方向の一方に端部５２ｃを有している。そして、第１凸部３５ｃおよび第２凸部３６ｃは、それぞれの端部５１ｃ，５２ｃと反対側を連接された一体構造となっている。互いの延設方向に位置する第１凸部３５ｃの端部５１ｃと、第２凸部３６ｃの端部５２ｃとの間には、検出部９２側からボトムケース３３の外縁側に亘って、切り欠かれた第１の溝部Ｇｒ１が配置されている。換言すれば、第１の溝部Ｇｒ１によって、検出部９２側からボトムケース３３の外縁側に亘って、第１凸部３５ｃと第２凸部３６ｃとが分断されている。
【００７７】
なお、上述した第１の溝部Ｇｒ１および第２の溝部Ｇｒ２は、ボトムケース３３の裏面３３ｒ（ケース外面）まで切り欠かれている。即ち、第１の溝部Ｇｒ１および第２の溝部Ｇｒ２のそれぞれの底面は、ボトムケース３３の裏面３３ｒ（ケース外面）と同一であり、第１の溝部Ｇｒ１および第２の溝部Ｇｒ２内では、裏面３３ｒから延伸された面が露出している。
【００７８】
次に、図８を参照して他の配置例４について説明する。図８に示すように、生体情報検出装置１０ｄは、検出部９２の周囲を囲む円周（仮想円５８）上、或いは楕円の周上に、それぞれ間隙である領域（溝部）を介して複数個が配置され、外形が円形で、底面が平面形状を有する凸部５７を有している。凸部５７は、第１実施形態と同様に、検出部９２の周囲を囲むようにボトムケース（蓋部）３３の裏面３３ｒから、検出部９２の突出する方向と同方向に突出している。
【００７９】
なお、仮想円５８は、凸部５７と検出部９２との間の領域に外部接続端子（第１の外部接続端子４５および第２の外部接続端子４６）が位置されるように仮設される。また、それぞれの凸部５７間の間隙である領域（溝部）の表面は、ボトムケース３３の裏面３３ｒと同一面とすることができる。
【００８０】
（外部接続端子の他の配置例）
上述した第１実施形態に係る生体情報検出装置１０の外部接続端子（第１の外部接続端子４５および第２の外部接続端子４６）は、種々の配置とすることができる。以下、図９、図１０、および図１１を用いて、上述した第１実施形態に係る生体情報検出装置１０の外部接続端子（第１の外部接続端子４５および第２の外部接続端子４６）の他の配置例について説明する。図９、図１０、および図１１は、外部接続端子の他の配置例を示すボトムケースを裏面側から見た平面図であり、図９は外部接続端子の他の配置例１、図１０は外部接続端子の他の配置例２、図１１は外部接続端子の他の配置例３を示す図である。なお、以下の説明では、前述の第１実施形態に係る生体情報検出装置１０と同様な構成部位は、同符号を付すとともに、その説明を省略することが有る。
【００８１】
先ず、図９を参照して外部接続端子の他の配置例１について説明する。図９に示すように、生体情報検出装置１０ｅは、第１実施形態と同様な、第１凸部３５および第２凸部３６を備えている。第１凸部３５および第２凸部３６は、ボトムケース（蓋部）３３の裏面３３ｒをＺ軸方向から見たとき、検出部９２の周囲に沿って延設され、ボトムケース３３の裏面３３ｒから、検出部９２の突出方向と同方向に突出し、Ｘ軸方向において検出部９２を挟む位置に配置されている。
【００８２】
そして、第１凸部３５の一方端５１と、第２凸部３６の一方端５２との間に位置する第１の溝部Ｇｒ１の領域には、第１の外部接続端子４５が配置されている。また、第１凸部３５の他方端３７と、第２凸部３６の他方端３８との間に位置する第２の溝部Ｇｒ２の領域には、第２の外部接続端子４６が配置されている。
【００８３】
このように、両側に第１凸部３５および第２凸部３６が位置する第１の溝部Ｇｒ１の領域もしくは第２の溝部Ｇｒ２の領域の底面（裏面３３ｒ）に第１の外部接続端子４５および第２の外部接続端子４６が配置されるため、外部接続端子（第１の外部接続端子４５および第２の外部接続端子４６）に対する外部からの接触が起こり難い。したがって、第１の外部接続端子４５および第２の外部接続端子４６に対する外部からの損傷などを抑制することができる。また、第１の外部接続端子４５および第２の外部接続端子４６の配置を効率よく行うことができスペース効率を高めることができる。
【００８４】
次に、図１０を参照して外部接続端子の他の配置例２について説明する。図１０に示すように、生体情報検出装置１０ｆは、第１実施形態と同様な、第１凸部３５および第２凸部３６を備えている。第１凸部３５および第２凸部３６は、ボトムケース（蓋部）３３の裏面３３ｒをＺ軸方向から見たとき、検出部９２の周囲に沿って延設され、ボトムケース３３の裏面３３ｒから、検出部９２の突出方向と同方向に突出し、Ｘ軸方向において検出部９２を挟む位置に配置されている。
【００８５】
そして、ボトムケース３３の裏面３３ｒをＺ軸方向から見たとき、Ｘ軸方向において検出部９２と第１凸部３５との間の領域には、外部接続端子（第１の外部接続端子４５および第２の外部接続端子４６）がＹ軸方向に沿って並んで配置されている。第１の外部接続端子４５および第２の外部接続端子４６は、外部機器との間の信号伝達や電源供給用の端子を接続するための接続端子である。
【００８６】
このように第１凸部３５と検出部９２との間の領域に第１の外部接続端子４５および第２の外部接続端子４６が配置されることにより、第１の外部接続端子４５および第２の外部接続端子４６に対する外部からの損傷などを抑制することができる。
【００８７】
次に、図１１を参照して外部接続端子の他の配置例３について説明する。図１１に示すように、生体情報検出装置１０ｇは、第１実施形態と同様な、両側に端部５１ｇ，３７ｇを有する第１凸部３５ｇ、および両側に端部５２ｇ，３８ｇを有する第２凸部３６ｇを備えている。第１凸部３５ｇおよび第２凸部３６ｇは、ボトムケース（蓋部）３３の裏面３３ｒをＺ軸方向から見たとき、検出部９２の周囲に沿って延設され、ボトムケース３３の裏面３３ｒから、検出部９２の突出方向と同方向に突出し、Ｘ軸方向において検出部９２を挟む位置に配置されている。
【００８８】
そして、第１凸部３５ｇには、被検体ＳＫとの接触面側に露出する第１の外部接続端子４５ｇが配置されている。また、第２凸部３６ｇには、第１凸部３５ｇと同様に、被検体ＳＫとの接触面側に露出する第２の外部接続端子４６ｇが配置されている。第１の外部接続端子４５ｇおよび第２の外部接続端子４６ｇは、外部機器との間の信号伝達や電源供給用の端子を接続するための接続端子である。
【００８９】
このように、第１の外部接続端子４５ｇおよび第２の外部接続端子４６ｇを配置することにより、第１の外部接続端子４５ｇおよび第２の外部接続端子４６ｇに対する外部からの損傷を抑制することができる。また、突出した第１凸部３５ｇおよび第２凸部３６ｇの頂部に第１の外部接続端子４５ｇおよび第２の外部接続端子４６ｇが配置されていることにより、接続を行い易くすることができる。また、第１の外部接続端子４５ｇおよび第２の外部接続端子４６ｇの配置に係るスペース効率を高めることができる。
【００９０】
なお、第１の外部接続端子４５ｇおよび第２の外部接続端子４６ｇは、それぞれ第１凸部３５ｇおよび第２凸部３６ｇの被検体ＳＫとの接触面側の表面よりもケース側に凹んだ面に設けられていてもよい。
また、第１凸部３５ｇおよび第２凸部３６ｇに、それぞれ設けられる第１の外部接続端子４５ｇおよび第２の外部接続端子４６ｇは、被検体ＳＫとの接触面側に露出する構成に限らない。第１の外部接続端子４５ｇおよび第２の外部接続端子４６ｇは、例えば第１凸部３５ｇおよび第２凸部３６ｇの外側面（外壁面）や内側面（内壁面）に露出されるように配置することとしてもよい。
【００９１】
また、図３に示す第１の外部接続端子４５および第２の外部接続端子４６は、裏面３３ｒをＺ軸方向から見た平面視で、第１凸部３５および前記第２凸部３６を境にして、検出部９２側とは反対側の領域に、配置されることとしてもよい。このように、外部接続端子（第１の外部接続端子４５および第２の外部接続端子４６）を、第１凸部３５および第２凸部３６よりも外側に位置させることにより、外部接続端子（第１の外部接続端子４５および第２の外部接続端子４６）に対する接続を行い易くなる。
【００９２】
（第１凸部（第２凸部）の他の構成例）
次に、図１２を参照して、第１凸部（第２凸部）の他の構成例について説明する。図１２は、図４Ａと同方向から見た第１凸部（第２凸部）の他の構成例を示す側面図である。前述した実施形態および他の配置例における第１凸部（第２凸部）の構成において、第１凸部（第２凸部）を分断する溝部の底部は、必ずしもボトムケース３３の裏面３３ｒでなくてもよい。
【００９３】
具体的に説明する。本構成例の生体情報検出装置１０ｈは、図１２に示すように、上述した第１実施形態と同様な第１凸部３５および第２凸部３６を有している。そして、生体情報検出装置１０ｈは、第１凸部３５の一方端５１ｈと、第２凸部３６の一方端５２ｈとの間に位置する溝部、例えば第７の溝部Ｇｒ７を有している。第７の溝部Ｇｒ７は、ボトムケース３３の裏面３３ｒに達していない底部５９を有している。換言すれば、第７の溝部Ｇｒ７の底部５９は、第１凸部３５および第２凸部３６の被検体ＳＫ側の接触面とボトムケース３３の裏面３３ｒとの間に位置している。第７の溝部Ｇｒ７のような溝部を有する構成においても前述と同様な効果を奏することができる。
【００９４】
＜第２実施形態＞
図１３Ａ、図１３Ｂを用いて、本発明の第２実施形態に係る生体情報検出装置の構成例について説明する。図１３Ａは、第２実施形態に係る生体情報検出装置の構成例を示し、ケースを裏面側から見た平面図である。図１３Ｂは、第２実施形態に係る生体情報検出装置を示し、ケースをバンド部の延設方向（接続される方向）から見た側面図である。なお、以下、生体情報検出装置の表示面側をトップ側または表側、表示面とは反対側（装着時に被検体に接する側）をボトム側または裏側として説明する。また、図１３Ａ、図１３Ｂでは、説明の便宜上、第１実施形態と同様に、それぞれ直交する３軸をＸ軸、Ｙ軸、Ｚ軸として示し、ガラス板７１の面に垂直な軸をＺ軸、ケースを挟むように配置されている一対のバンド部（第１のバンド部３１および第２のバンド部３２）が並ぶ方向をＹ軸としている。また、以下において「軸方向」とは、「軸に沿う方向」を意味する。
【００９５】
第２実施形態に係る生体情報検出装置１００は、前述の第１実施形態と同様に、図１３Ｂに示すように被検体（被装着体）ＳＫに装着される。生体情報検出装置１００は、第１実施形態と同様に、被検体（被装着体）ＳＫの生体情報を検出する光センサーを含むセンサー部９０が設けられるケースとしてのボトムケース（蓋部）３３ａと、ユーザーへの装着側と反対側に位置するトップケース３０ａとが配置されている。また、ボトムケース３３ａとトップケース３０ａとを含むケース部のＹ方向に沿った両側には、それぞれバンド部（第１のバンド部３１および第２のバンド部３２）が接続されている。以下、第２実施形態に係る生体情報検出装置１００を詳細に説明するが、前述の第１実施形態と同様な構成については、同符号を付すとともに、その説明を省略することがある。
【００９６】
第２実施形態に係る生体情報検出装置１００は、図１３Ａおよび図１３Ｂに示すように、ボトムケース３３ａとトップケース３０ａとを含むケース部を挟むように配置されている第１のバンド部３１および第２のバンド部３２が並ぶ方向（Ｙ軸方向）と交差する方向（Ｘ軸方向）において、ケース部の外周に沿って両側に配置された第１凸部１３５および第２凸部１３６を有している。なお、第１凸部１３５および第２凸部１３６は、ケース部（トップケース３０ａ）に対して移動可能に設けられている。
【００９７】
トップケース３０ａには、Ｘ軸方向の両側に、外縁から内側に凹む収納部１３８，１３９が設けられている。第１凸部１３５および第２凸部１３６を使用しない場合は、収納部１３８，１３９に収容されている。そして、第１凸部１３５および第２凸部１３６を使用する場合は、第１凸部１３５および第２凸部１３６が、トップケース３０ａに対して裏側に向かって（図１３Ｂに示す矢印の方向）移動し、トップケース３０ａから突出した位置で図示しない固定部によって固定される。図１３Ｂでは、この固定位置を、第１凸部１３５ｍおよび第２凸部１３６ｍとして二点鎖線で示している。このようにして、第１凸部１３５および第２凸部１３６は、ボトムケース３３ａの裏面３３ｒと被検体ＳＫとの間に生じる隙間を調整するスペーサーとして機能する。
【００９８】
第１凸部１３５および第２凸部１３６は、例えばウレタン樹脂、シリコーン樹脂、エラストマー樹脂、フッ素樹脂、ポリスチレン樹脂、ポリエチレン樹脂などの軟質材料によって形成されることが好ましい。または、第１凸部１３５および第２凸部１３６の被検体ＳＫとの接触面を含む先端部分に前述の軟質材料を配置することが好ましい。このように、第１凸部１３５および第２凸部１３６に軟質材料を用いることにより、ユーザーの装着違和感を低減させることができる。
【００９９】
なお、図１３Ｂに示すように、収納部１３８，１３９に露出するように、外部接続端子（第１の外部接続端子１４５および第２の外部接続端子１４６）がトップケース３０ａに設けられてもよい。この場合、収納部１３８，１３９に収容された第１凸部１３５および第２凸部１３６が、外部接続端子（第１の外部接続端子１４５および第２の外部接続端子１４６）のカバー部材として機能し、外部接続端子（第１の外部接続端子１４５および第２の外部接続端子１４６）の汚損や破損を抑制することができる。
【０１００】
上述した第２実施形態に係る生体情報検出装置１００によれば、必要に応じて第１凸部１３５および第２凸部１３６を移動させ、ボトムケース３３ａの裏面３３ｒと被検体ＳＫとの間に生じる隙間に配置することができる。このように、第１凸部１３５および第２凸部１３６を容易に配置（装着）することができる。
【０１０１】
また、第１凸部１３５および第２凸部１３６を、収納部１３８，１３９（トップケース３０ａ）に収容することで、第１凸部１３５および第２凸部１３６の不要な場合に突出させないことができ、デザイン性を高めることができる。
【０１０２】
＜第３実施形態＞
図１４を用いて、本発明の第３実施形態に係る生体情報検出装置の構成例について説明する。図１４は、第３実施形態に係る生体情報検出装置の構成例を示し、ケースをバンド部の延設方向（接続される方向）から見た側面図である。なお、以下、生体情報検出装置の表示面側をトップ側または表側、表示面とは反対側（装着時に被検体に接する側）をボトム側または裏側として説明する。また、図１４では、説明の便宜上、第１実施形態と同様に、それぞれ直交する３軸をＸ軸、Ｙ軸、Ｚ軸として示し、ガラス板７１の面に垂直な軸をＺ軸、ケースを挟むように配置されている一対のバンド部（第１のバンド部３１および第２のバンド部３２）が並ぶ方向をＹ軸としている。また、以下において「軸方向」とは、「軸に沿う方向」を意味する。
【０１０３】
第３実施形態に係る生体情報検出装置２００は、前述の第１実施形態と同様に、被検体（被装着体）ＳＫに装着される。生体情報検出装置２００は、第１実施形態と同様に、被検体（被装着体）ＳＫの生体情報を検出する光センサーを含むセンサー部９０が設けられるケースとしてのボトムケース（蓋部）３３ｂと、ユーザーへの装着側と反対側に位置するトップケース３０ｂとが配置されている。また、ボトムケース３３ｂとトップケース３０ｂとを含むケース部のＹ方向に沿った両側には、それぞれバンド部（第１のバンド部３１および第２のバンド部３２）が接続されている。以下、第３実施形態に係る生体情報検出装置２００を詳細に説明するが、前述の第１実施形態と同様な構成については、同符号を付すとともに、その説明を省略することがある。
【０１０４】
第３実施形態に係る生体情報検出装置２００は、図１４に示すように、ボトムケース３３ｂとトップケース３０ｂとを含むケース部を挟むように配置されている第１のバンド部３１および第２のバンド部３２が並ぶ方向（Ｙ軸方向）と交差する方向（Ｘ軸方向）において、ケース部の外周に沿って両側に配置された第１凸部２３５および第２凸部２３６を有している。第１凸部２３５および第２凸部２３６は、ケース部（トップケース３０ｂ）に対して回転移動が可能に接続されている。詳細に説明すると、第１凸部２３５は、トップケース３０ｂの一方（−Ｘ軸方向）の外縁に固定された回転軸２３７を中心にして回転可能であり、この回転によって位置を移動することができる。また、第２凸部２３６は、トップケース３０ｂの他方（＋Ｘ軸方向）の外縁に固定された回転軸２３８を中心にして回転可能であり、この回転によって位置を移動することができる。
【０１０５】
第１凸部２３５および第２凸部２３６をスペーサーとして使用しない場合、第１凸部２３５および第２凸部２３６は、ボトムケース３３ｂ裏側の傾斜面９３ｂに沿って、固定部（図示せず）によって固定されている。そして、第１凸部２３５および第２凸部２３６を使用する場合は、第１凸部２３５および第２凸部２３６を、トップケース３０ｂに固定された回転軸２３７を中心にして図中矢印の方向に回転させることによって移動させ、トップケース３０ｂから突出した状態としたところで第１凸部２３５および第２凸部２３６が保持される。図１４では、この保持された位置を、第１凸部２３５ｍおよび第２凸部２３６ｍとして二点鎖線で示している。このようにして、第１凸部２３５および第２凸部２３６は、ボトムケース３３ｂの傾斜面９３ｂと被検体ＳＫとの間に生じる隙間を調整するスペーサーとして機能する。
【０１０６】
第１凸部２３５および第２凸部２３６は、例えばウレタン樹脂、シリコーン樹脂、エラストマー樹脂、フッ素樹脂、ポリスチレン樹脂、ポリエチレン樹脂などの軟質材料によって形成されることが好ましい。または、第１凸部２３５および第２凸部２３６の被検体ＳＫとの接触面を含む先端部分に前述の軟質材料を配置することが好ましい。このように、第１凸部２３５および第２凸部２３６に軟質材料を用いることにより、ユーザーの装着違和感を低減させることができる。
【０１０７】
なお、第１凸部２３５および第２凸部２３６をスペーサーとして使用しない場合の固定位置に対する傾斜面９３ｂに露出するように、外部接続端子（第１の外部接続端子２４５および第２の外部接続端子２４６）がボトムケース３３ｂに設けられてもよい。この場合、スペーサーとして使用しない場合であって、傾斜面９３ｂに固定された第１凸部２３５および第２凸部２３６が、外部接続端子（第１の外部接続端子２４５および第２の外部接続端子２４６）のカバー部材として機能し、外部接続端子（第１の外部接続端子２４５および第２の外部接続端子２４６）の汚損や破損を抑制することができる。
【０１０８】
上述した第３実施形態に係る生体情報検出装置２００によれば、必要に応じて固定部（不図示）から第１凸部２３５および第２凸部２３６を回転方向に移動させることができる。これにより、検出部９２の外側に位置する、ボトムケース３３ｂの傾斜面９３ｂと被検体ＳＫとの間に生じる隙間に配置することができる。このように、第１凸部２３５および第２凸部２３６を容易に配置（装着）することができる。
【０１０９】
また、第１凸部２３５および第２凸部２３６を、傾斜面９３ｂに沿って固定しておくことで、第１凸部２３５および第２凸部２３６の不要な場合に、第１凸部２３５および第２凸部２３６を突出させないでおくことができ、デザイン性を高めることができる。
【０１１０】
＜第４実施形態＞
図１５Ａ、図１５Ｂを用いて、本発明の第４実施形態に係る生体情報検出装置の構成例について説明する。図１５Ａは、第４実施形態に係る生体情報検出装置の構成例を示し、ケースをバンド部の延設方向（接続される方向）から見た側面図である。図１５Ｂは、第４実施形態における第１凸部（第２凸部）を示す斜視図である。なお、以下、生体情報検出装置の表示面側をトップ側または表側、表示面とは反対側（装着時に被検体に接する側）をボトム側または裏側として説明する。また、図１５Ａでは、説明の便宜上、第１実施形態と同様に、それぞれ直交する３軸をＸ軸、Ｙ軸、Ｚ軸として示し、ガラス板７１の面に垂直な軸をＺ軸、ケースを挟むように配置されている一対のバンド部（第１のバンド部３１および第２のバンド部３２）が並ぶ方向をＹ軸としている。また、以下において「軸方向」とは、「軸に沿う方向」を意味する。
【０１１１】
第４実施形態に係る生体情報検出装置３００は、前述の第１実施形態と同様に、図１５Ａに示すように被検体（被装着体）ＳＫに装着される。生体情報検出装置３００は、第１実施形態と同様に、被検体（被装着体）ＳＫの生体情報を検出する光センサーを含むセンサー部９０が設けられるケースとしてのボトムケース（蓋部）３３ｃと、ユーザーへの装着側と反対側に位置するトップケース３０とが配置されている。また、ボトムケース３３ｃとトップケース３０とを含むケース部のＹ方向に沿った両側には、それぞれバンド部（第１のバンド部３１および第２のバンド部３２）が接続されている。以下、第４実施形態に係る生体情報検出装置３００を詳細に説明するが、前述の第１実施形態と同様な構成については、同符号を付すとともに、その説明を省略することがある。
【０１１２】
第４実施形態に係る生体情報検出装置３００は、図１５Ａに示すように、ボトムケース３３ｃとトップケース３０とを含むケース部を挟むように配置されている第１のバンド部３１および第２のバンド部３２が並ぶ方向（Ｙ軸方向）と交差する方向（Ｘ軸方向）において、ケース部の外周部分の両側に配置された第１凸部としてのスペーサー３３５および第２凸部としてのスペーサー３３６を有している。なお、スペーサー３３５，３３６は、ボトムケース３３ｃに対して、任意に着脱可能である。
【０１１３】
スペーサー３３５，３３６は、被検体ＳＫに生体情報検出装置３００が装着されている場合に、必要に応じて装着することができる。スペーサー３３５，３３６は、被検体ＳＫに生体情報検出装置３００が装着されている場合に、ボトムケース３３ｃの裏側の傾斜面９３ｃと被検体ＳＫとの間に生じる隙間に対して、Ｘ軸方向に沿って両側から挿入され、スペーサーとして機能する。
【０１１４】
スペーサー３３５，３３６は、図１５Ｂに示すように、被検体ＳＫの側の底部３３１と、底部３３１から傾斜面９３ｃ（図１５Ａ参照）に沿うように鋭角に折り返されて延在された傾斜部３３２とによって構成されている。なお、底部３３１の被検体ＳＫに接触する側の面である裏面３３１ｒは、被検体ＳＫ、例えばユーザーの手首の形状に沿った湾曲形状をなしていることが好ましい。
【０１１５】
また、スペーサー３３５，３３６は、例えばウレタン樹脂、シリコーン樹脂、エラストマー樹脂、フッ素樹脂、ポリスチレン樹脂、ポリエチレン樹脂などの軟質材料によって形成されることが好ましい。または、被検体ＳＫとの接触面である裏面３３１ｒの部分に前述の軟質材料を配置することが好ましい。このように、スペーサー３３５，３３６に軟質材料を用いることにより、ユーザーの装着違和感を低減させることができる。
【０１１６】
上述した第４実施形態に係る生体情報検出装置３００によれば、第１凸部としてのスペーサー３３５および第２凸部としてのスペーサー３３６を必要とする場合にのみ用いることができ、デザイン性を高めることができる。
【０１１７】
＜生体情報検出装置の変形例＞
図１６を用いて、本発明の生体情報検出装置に係る変形例について説明する。図１６は、変形例に係る生体情報検出装置の下面（裏面）斜視図である。以下、生体情報検出装置の表示面側をトップ側または表側、表示面とは反対側（装着時に被検体に接する側）をボトム側または裏側として説明する。また、図１６では、説明の便宜上、第１実施形態と同様に、それぞれ直交する３軸をＸ軸、Ｙ軸、Ｚ軸を使用して説明し、ガラス板７１の面に垂直な軸をＺ軸、ケースを挟むように配置されている一対のバンド部が並ぶ方向をＹ軸としている。また、以下において「軸方向」とは、「軸に沿う方向」を意味する。
【０１１８】
変形例に係る生体情報検出装置４００は、前述の第１実施形態と同様に、被検体（被装着体）ＳＫ（図１６では不図示）に装着される。生体情報検出装置４００は、第１実施形態と同様に、被検体（被装着体）ＳＫの生体情報を検出する光センサーを含むセンサー部９０が設けられるケースとしてのボトムケース（蓋部）４３３と、ユーザーへの装着側と反対側に位置するトップケース４３０とが配置されている。また、ボトムケース４３３とトップケース４３０とを含むケース部のＹ軸方向に沿った両側には、図示しないが、それぞれにバンド部が接続される。
【０１１９】
生体情報検出装置４００の構成をより詳細に説明すると、生体情報検出装置４００は、ボトムケース４３３およびトップケース４３０を含むケース部と、操作部４８０と、センサー部４９０と、を含む。なお、変形例の生体情報検出装置４００において、第１実施形態で説明した、第１のバンド部３１、第２のバンド部３２）、固定部（遊革、定革）４０、および連結部（美錠）５０、などのバンド部に係る構成、および表示部７０に係る構成を有しているが、第１実施形態と同様であるので図示を省略しその説明も省略する。
【０１２０】
ケース部を構成するボトムケース４３３およびトップケース４３０は、例えばステンレススチールなどの金属、もしくは樹脂などによって形成することができる。なお、トップケース４３０とボトムケース４３３とに分離される態様のものでなくてもよく、一体構造のケース（トップケース４３０に相当する）と、ケース部のユーザーへの装着側に、裏蓋（ボトムケース４３３に相当する）が設けられている構成でもよい。
【０１２１】
被検体ＳＫ側に位置するボトムケース４３３のケース外面には、被検体（被装着体）ＳＫの生体情報を検出する光センサーを含むセンサー部４９０が収容された検出部４９２と、検出部４９２の外縁よりも外側（ボトムケース４３３の外縁の位置する側）に配置されている裏面４３３ｒとが配設されている。さらに、裏面４３３ｒには、一対の外部接続端子（第１の外部接続端子４４５および第２の外部接続端子４４６）が設けられている。
【０１２２】
また、生体情報検出装置４００の側面には、例えばセンサー部４９０による検出モードを切り替えたり、表示部（不図示）に表示される表示モードを切り替えたりすることが可能な複数のボタンを含む操作部４８０が設けられている。操作部４８０は、ユーザーによる操作を受け付けることができる。
【０１２３】
また、ボトムケース４３３、トップケース４３０、および不図示のガラス板などで形成される内部空間には、文字板（不図示）を含む表示部（不図示）やセンサー部４９０によって検出されたデータを処理したり表示部の表示内容を制御したりする制御部（不図示）や電池（不図示）などが収容されている。
【０１２４】
センサー部４９０は、ボトムケース４３３のケース外面である裏面４３３ｒから被検体ＳＫ側に凸状に突出するように設けられている検出部４９２に収容されている。換言すれば、センサー部４９０は、裏面４３３ｒよりも被検体ＳＫ側（Ｚ軸方向）に突出している。本変形例の検出部４９２は、Ｘ軸方向およびＹ軸方向に延びる矩形部が交差する、所謂十字形状の外形形状をなしている。但し、検出部４９２の外形形状は、十字形状に限定されるものではなく、如何様の形状であってもよい。検出部４９２は、その中央部に光センサーを含むセンサー部４９０が収容されている。センサー部４９０は、検出部４９２とともに被検体ＳＫに押し当てられた状態で、被検体ＳＫの生体情報を検出する。
【０１２５】
センサー部４９０には、二つの発光部４９６ａ、および二つの発光部４９６ａの間に配置された受光部４９５が設けられている。発光部４９６ａは被検体ＳＫに対して光を射出する。受光部４９５は、被検体ＳＫからの光（反射光、透過光）を受光する。例えば発光部４９６ａが光を被検体ＳＫに射出し、その光が被検体ＳＫ（血管）により反射されると、受光部４９５がその反射光を受光して生体情報を検出することができる。受光部４９５は、例えばフォトダイオードなどの受光素子により実現でき、発光部４９６ａは、例えばＬＥＤなどの発光素子により実現できる。なお、上述では、二つの発光部４９６ａは、Ｙ軸に沿った配置例を示したが、図１６に想像線（一点鎖線）で示すように、Ｘ軸に沿って二つの発光部４９６ｂを配置することもできる。この場合も、二つの発光部４９６ｂの間に受光部４９５が配置される。
【０１２６】
脈拍計を例にとると、発光部からの光は、被検体の内部を進み、表皮、真皮及び皮下組織等で拡散又は散乱する。その後、この光は、血管（被検出部位）に到達し、反射される。この際に、光の一部は血管により吸収される。そして、脈拍の影響により血管での光の吸収率が変化し、反射光の光量も変化するため、受光部がこの反射光を受光して、その光量の変化を検出することで、生体情報である脈拍数等を検出できるようになる。
【０１２７】
また、ボトムケース４３３の裏面４３３ｒをＺ軸方向から平面視したとき、裏面４３３ｒには、Ｘ軸方向において検出部４９２を挟む位置に配置されている第１凸部４３５および第２凸部４３６が一対で設けられている。換言すれば、第１凸部４３５および第２凸部４３６は、バンド取付部４４１，４４２の配置されている方向、即ちバンド部の接続される方向（Ｙ軸方向）と交差する方向であるＸ軸方向に沿って検出部４９２を挟む位置に配置されている。そして、第１凸部４３５および第２凸部４３６は、検出部４９２の周囲を囲むようにボトムケース４３３の裏面４３３ｒから、検出部４９２の突出方向と同方向（Ｚ軸方向）に突出している。第１凸部４３５および第２凸部４３６の裏面４３３ｒからの高さは、検出部４９２の裏面４３３ｒからの高さと概ね同じであればよいが、同じであればさらに好ましい。また、第１凸部４３５および第２凸部４３６は、ボトムケース４３３の外縁の少なくとも一部に沿って円弧状に延設されている。第１凸部４３５および第２凸部４３６の延設方向には、Ｙ軸方向と重なる領域において、検出部４９２側からボトムケース４３３の外縁に亘って切り欠かれた、二つの溝部Ｇｒ８，Ｇｒ９が設けられている。そして、第１凸部４３５および第２凸部４３６は、Ｙ軸方向にあって、センサー部４９０を間に介して両側に一つずつ配置された二つの溝部Ｇｒ８，Ｇｒ９によって分断されている。換言すれば、第１凸部４３５と第２凸部４３６とが連接していない領域が２箇所ある。
【０１２８】
このように、第１凸部４３５および第２凸部４３６は、検出部４９２側からボトムケース４３３の外縁側に亘って、切り欠かれた二つの溝部Ｇｒ８，Ｇｒ９によって分断された一対の第１凸部４３５および第２凸部４３６を配置することにより、ユーザーの装着部（被検体ＳＫ）に生体情報検出装置４００が装着されたとき、検出部４９２を挟んだ両側の方向に対してのケース部（ボトムケース４３３およびトップケース４３０）の傾きを低減することができる。
【０１２９】
なお、第１凸部４３５および第２凸部４３６は、ボトムケース４３３と一体的に設けられたり、ボトムケース４３３と別体で成形された物をボトムケース４３３の裏面４３３ｒに接着などによって取り付けられてもよい。
【０１３０】
外部接続端子（第１の外部接続端子４４５および第２の外部接続端子４４６）は、ボトムケース４３３の裏面４３３ｒをＺ軸方向から平面視したとき、Ｘ軸方向において検出部４９２と第１凸部４３５との間の領域、および検出部４９２と第２凸部４３６との間の領域に配置されている。なお、第１の外部接続端子４４５および第２の外部接続端子４４６は、第１実施形態と同様であるので説明を省略する。
【０１３１】
上述して変形例に係る生体情報検出装置４００によれば、ボトムケース４３３の裏面４３３ｒをＺ軸方向から平面視したとき、Ｘ軸方向において検出部４９２を挟む位置に、第１凸部４３５および第２凸部４３６を一対で配置している。これにより、トップケース４３０、ボトムケース４３３などで構成される機器本体が、ユーザーの装着部（被検体ＳＫ）に装着されたとき、検出部４９２に加えて、第１凸部４３５および第２凸部４３６が被検体ＳＫに当たるため、検出部４９２を支点としたケース部の傾きを低減することができる。換言すれば、装着者が激しい運動などを行って被検体ＳＫが動く場合でも、センサー部４９０（検出部４９２）を所与の圧力で被検体ＳＫに押し付けた状態を維持することが可能となる。このように、生体情報検出装置４００の装着（固定）の姿勢が安定するため、例えば脈波や脈拍などの生体情報に係るセンサー信号の誤検出を防ぐことができ、生体情報の検出を安定させることができる。
【０１３２】
なお、第１凸部４３５および第２凸部４３６が、バンド部の接続される方向（Ｙ軸方向）と交差する方向であるＸ軸方向に沿って検出部４９２を挟む位置に配置されている。このＸ軸方向は、比較的揺れや傾きが生じ易いが、Ｘ軸方向に沿って第１凸部４３５および第２凸部４３６が配置されていることにより、生体情報検出装置４００の揺れや傾きなどを生じ難くさせることができる。
【０１３３】
また、第１凸部４３５および第２凸部４３６との間に設けられている溝部Ｇｒ８，Ｇｒ９により、検出部４９２の位置する領域が密閉空間とならず第１凸部４３５および第２凸部４３６の外側の領域と連通されるため、例えば汗などによる湿気（水分）が、検出部４９２の位置する領域に留まってしまうことを抑制することができる。これにより、湿気（水分）による検出の不安定を低減することができ、センサー部４９０による生体情報の検出を安定させることができる。
【０１３４】
また、第１凸部４３５および第２凸部４３６がセンサー部４９０の外周を囲うように配置されていることから遮光壁として機能し、センサー部４９０に入射する散乱光などの外光を遮蔽したり、抑制したりすることが可能となる。
【符号の説明】
【０１３５】
１０，１００，２００，３００，４００…生体情報検出装置、３０…ケースとしてのトップケース、３１…バンド部としての第１のバンド部、３２…バンド部としての第２のバンド部、３３…ケースとしてのボトムケース、３３ｒ…ボトムケースの裏面、３５…第１凸部、３６…第２凸部、３７…第１凸部の他方端、３８…第２凸部の他方端、３９…内部空間、４０…固定部、４１…第１のバンド取付部、４２…第２のバンド取付部、４５…第１の外部接続端子、４６…第２の外部接続端子、４７…接触面、５０…連結部、５１…第１凸部の一方端、５２…第２凸部の一方端、７０…表示部、８０…操作部、９０…センサー部、９２…検出部、９３…傾斜面、ＳＫ…被検体、Ｇｒ１…第１の溝部、Ｇｒ２…第２の溝部。
【図１Ａ】
2018000542.tif 000003
【図１Ｂ】
2018000542.tif 000004
【図２Ａ】
2018000542.tif 000005
【図２Ｂ】
2018000542.tif 000006
【図３】
2018000542.tif 000007
【図４Ａ】
2018000542.tif 000008
【図４Ｂ】
2018000542.tif 000009
【図４Ｃ】
2018000542.tif 000010
【図５】
2018000542.tif 000011
【図６】
2018000542.tif 000012
【図７】
2018000542.tif 000013
【図８】
2018000542.tif 000014
【図９】
2018000542.tif 000015
【図１０】
2018000542.tif 000016
【図１１】
2018000542.tif 000017
【図１２】
2018000542.tif 000018
【図１３Ａ】
2018000542.tif 000019
【図１３Ｂ】
2018000542.tif 000020
【図１４】
2018000542.tif 000021
【図１５Ａ】
2018000542.tif 000022
【図１５Ｂ】
2018000542.tif 000023
【図１６】
2018000542.tif 000024